(57)【特許請求の範囲】
【請求項１】
周囲の明るさに応じてタッチパネルの輝度を調整する機能を有する携帯端末であって、
前記タッチパネルの近傍に配置され、周囲の明るさを測定する光センサと、
前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、
前記第２状態から前記第１状態に変化したときには、前記タッチパネルの輝度を前記第１状態に対応する輝度のまま維持し、
前記第２状態から前記第１状態に変化していないときには、前記タッチパネルの輝度を前記第２状態に対応する輝度に変化させるよう制御する輝度制御部とを備え、
前記輝度制御部は、
前記光センサにより測定された明るさが、前記第１状態から前記第２状態に変化した場合において、当該変化の第２時間前から当該変化までに、前記タッチパネルへの接触が行われていないときには、前記制御を行うことなく、前記タッチパネルの輝度を前記第２状態に対応する輝度に変化させる
ことを特徴とする携帯端末。
【請求項２】
前記輝度制御部は、
前記光センサにより測定された明るさが、前記第１状態から前記第２状態に変化し、かつ当該変化の第２時間前から当該変化までに、前記タッチパネルへの接触が行われていない場合において、当該変化から前記第１時間以下の第３時間経過後までに、前記タッチパネルへの接触が行われていないときに限って、前記タッチパネルの輝度を前記第２状態に対応する輝度に変化させる
ことを特徴とする請求項１記載の携帯端末。
【請求項３】
周囲の明るさに応じてタッチパネルの輝度を調整する機能を有する携帯端末であって、
前記タッチパネルの近傍に配置され、周囲の明るさを測定する光センサと、
前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、
前記第２状態から前記第１状態に変化したときには、前記タッチパネルの輝度を前記第１状態に対応する輝度のまま維持し、
前記第２状態から前記第１状態に変化していないときには、前記タッチパネルの輝度を前記第２状態に対応する輝度に変化させるよう制御する輝度制御部とを備え、
前記光センサは、
前記タッチパネルの表示面と略同一平面上に配置されており、
前記携帯端末は、更に
接触により、前記光センサにより測定された明るさを低下させ得る前記タッチパネル上の位置を示す位置情報を記憶する記憶部を備え、
前記輝度制御部は、
前記光センサにより測定された明るさが、前記第１状態から前記第２状態に変化した場合において、当該変化の第２時間前から当該変化までに、
前記位置情報が示す前記タッチパネル上の位置への接触が行われているときには、前記第１時間を、当該第１時間より長い時間に変更して、前記制御を行い、
前記位置情報が示す前記タッチパネル上の位置への接触が行われていないときには、前記制御を行うことなく、前記タッチパネルの輝度を前記第２状態に対応する輝度に変化させる
ことを特徴とする携帯端末。
【請求項４】
前記携帯端末は、更に
前記光センサにより測定された明るさが、前記閾値以上から当該閾値未満に変化した場合に、前記第１状態から前記第２状態に変化したと判定し、
前記光センサにより測定された明るさが、前記閾値未満から当該閾値以上に変化した場合に、前記第２状態から前記第１状態に変化したと判定する状態判定部を備える
ことを特徴とする請求項１又は請求項３のいずれか一項に記載の携帯端末。
【請求項５】
前記携帯端末は、更に
前記光センサにより測定された明るさの単位時間内の減少量が、前記閾値未満から当該閾値以上に変化した場合に、前記第１状態から前記第２状態に変化したと判定し、
前記光センサにより測定された明るさの単位時間内の増加量が、前記閾値未満から当該閾値以上に変化した場合に、前記第２状態から前記第１状態に変化したと判定する状態判定部を備える
ことを特徴とする請求項１又は請求項３のいずれか一項に記載の携帯端末。
【請求項６】
前記輝度制御部は、更に
前記光センサにより測定された明るさが、前記第２状態から前記第１状態に変化した場合において、当該変化から前記第１時間経過後までに前記光センサにより測定された明るさが、
前記第１状態から前記第２状態に変化したときには、前記タッチパネルの輝度を前記第２状態に対応する輝度のまま維持し、
前記第１状態から前記第２状態に変化していないときには、前記タッチパネルの輝度を当該第１状態に対応する輝度に変化させるよう制御する
ことを特徴とする請求項１又は請求項３のいずれか一項に記載の携帯端末。
【請求項７】
タッチパネル及び前記タッチパネルの近傍に配置され、周囲の明るさを測定する光センサを備え、周囲の明るさに応じて前記タッチパネルの輝度を調整する機能を有する携帯端末における輝度制御方法であって、
前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、
前記第２状態から前記第１状態に変化したときには、前記タッチパネルの輝度を前記第１状態に対応する輝度のまま維持し、
前記第２状態から前記第１状態に変化していないときには、前記タッチパネルの輝度を前記第２状態に対応する輝度に変化させるよう制御する輝度制御ステップを含み、
前記輝度制御ステップは、
前記光センサにより測定された明るさが、前記第１状態から前記第２状態に変化した場合において、当該変化の第２時間前から当該変化までに、前記タッチパネルへの接触が行われていないときには、前記制御を行うことなく、前記タッチパネルの輝度を前記第２状態に対応する輝度に変化させるステップを含む
ことを特徴とする輝度制御方法。
【請求項８】
タッチパネル及び前記タッチパネルの近傍に配置され、周囲の明るさを測定する光センサを備え、周囲の明るさに応じて前記タッチパネルの輝度を調整する機能を有する携帯端末におけるプロセッサに輝度制御処理を行わせるためのプログラムであって、
前記輝度制御処理は、
前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、
前記第２状態から前記第１状態に変化したときには、前記タッチパネルの輝度を前記第１状態に対応する輝度のまま維持し、
前記第２状態から前記第１状態に変化していないときには、前記タッチパネルの輝度を前記第２状態に対応する輝度に変化させるよう制御する輝度制御ステップを含み、
前記輝度制御ステップは、
前記光センサにより測定された明るさが、前記第１状態から前記第２状態に変化した場合において、当該変化の第２時間前から当該変化までに、前記タッチパネルへの接触が行われていないときには、前記制御を行うことなく、前記タッチパネルの輝度を前記第２状態に対応する輝度に変化させるステップを含む
ことを特徴とするプログラム。
【請求項９】
タッチパネル及び前記タッチパネルの近傍に配置され、周囲の明るさを測定する光センサを備え、周囲の明るさに応じて前記タッチパネルの輝度を調整する機能を有する携帯端末における輝度制御方法であって、
前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、
前記第２状態から前記第１状態に変化したときには、前記タッチパネルの輝度を前記第１状態に対応する輝度のまま維持し、
前記第２状態から前記第１状態に変化していないときには、前記タッチパネルの輝度を前記第２状態に対応する輝度に変化させるよう制御する輝度制御ステップを含み、
前記光センサは、
前記タッチパネルの表示面と略同一平面上に配置されており、
前記携帯端末は、更に
接触により、前記光センサにより測定された明るさを低下させ得る前記タッチパネル上の位置を示す位置情報を記憶する記憶部を備え、
前記輝度制御ステップは、
前記光センサにより測定された明るさが、前記第１状態から前記第２状態に変化した場合において、当該変化の第２時間前から当該変化までに、
前記位置情報が示す前記タッチパネル上の位置への接触が行われているときには、前記第１時間を、当該第１時間より長い時間に変更して、前記制御を行い、
前記位置情報が示す前記タッチパネル上の位置への接触が行われていないときには、前記制御を行うことなく、前記タッチパネルの輝度を前記第２状態に対応する輝度に変化させるステップを含む
ことを特徴とする輝度制御方法。
【請求項１０】
タッチパネル及び前記タッチパネルの近傍に配置され、周囲の明るさを測定する光センサを備え、周囲の明るさに応じて前記タッチパネルの輝度を調整する機能を有する携帯端末におけるプロセッサに輝度制御処理を行わせるためのプログラムであって、
前記輝度制御処理は、
前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、
前記第２状態から前記第１状態に変化したときには、前記タッチパネルの輝度を前記第１状態に対応する輝度のまま維持し、
前記第２状態から前記第１状態に変化していないときには、前記タッチパネルの輝度を前記第２状態に対応する輝度に変化させるよう制御する輝度制御ステップを含み、
前記光センサは、
前記タッチパネルの表示面と略同一平面上に配置されており、
前記携帯端末は、更に
接触により、前記光センサにより測定された明るさを低下させ得る前記タッチパネル上の位置を示す位置情報を記憶する記憶部を備え、
前記輝度制御ステップは、
前記光センサにより測定された明るさが、前記第１状態から前記第２状態に変化した場合において、当該変化の第２時間前から当該変化までに、
前記位置情報が示す前記タッチパネル上の位置への接触が行われているときには、前記第１時間を、当該第１時間より長い時間に変更して、前記制御を行い、
前記位置情報が示す前記タッチパネル上の位置への接触が行われていないときには、前記制御を行うことなく、前記タッチパネルの輝度を前記第２状態に対応する輝度に変化させるステップを含む
ことを特徴とするプログラム。
【発明の詳細な説明】
【技術分野】
【０００１】
本発明は、タッチパネルを備える携帯端末に関し、特に、表示画面の輝度制御技術に関する。
【背景技術】
【０００２】
端末装置においては、従来から、表示画面の視認性を確保するために、表示画面の近傍に配置されている光センサを用いて測定した周囲の明るさに応じて、表示画面の輝度を制御することが行われている。
この表示画面の輝度制御技術を、タッチパネルを備える携帯端末に適用した場合に、以下のような問題が生じ得る。
【０００３】
即ち、タッチパネルに対するユーザ操作が行われた際に、光センサの部分がユーザの手の影になることによって、光センサが測定した明るさが低下するため、より低い輝度での表示がなされてしまうという問題である。これにより、実際の周囲の明るさは低下していないにもかかわらず、より低い輝度での表示がなされるので、表示画面が見づらくなってしまうことになる。
【０００４】
この問題に対しては、例えば特許文献１の技術が知られている。
特許文献１の技術は、タッチパネルに対するユーザ操作が繰り返し行われている間は、光センサが測定した明るさに応じた輝度制御を行わずに、ユーザ操作が開始された時点でのタッチパネルの輝度のまま維持するというものである。
【先行技術文献】
【特許文献】
【０００５】
【特許文献１】特開２００７−７９１１３号公報
【発明の概要】
【発明が解決しようとする課題】
【０００６】
しかしながら、特許文献１の方法では、タッチパネルに対するユーザ操作が繰り返し行われている場合において、携帯端末を持ったユーザが明所から暗所へ移動したときにも、明所での輝度のまま表示が行われるので、表示画面の視認性が確保できないという問題がある。
そこで、本発明は係る問題に鑑みてなされたものであり、タッチパネルに対するユーザ操作により表示画面の輝度を不適切に制御してしまうことを抑制しつつ、タッチパネルに対するユーザ操作が繰り返し行われている場合において、実際の周囲の明るさが変化したときにおける表示画面の視認性を確保可能な携帯端末を提供することを目的とする。
【課題を解決するための手段】
【０００７】
上記課題を解決するために、本発明に係る携帯端末は、周囲の明るさに応じてタッチパネルの輝度を調整する機能を有する携帯端末であって、前記タッチパネルの近傍に配置され、周囲の明るさを測定する光センサと、前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、前記第２状態から前記第１状態に変化したときには、前記タッチパネルの輝度を前記第１状態に対応する輝度のまま維持し、前記第２状態から前記第１状態に変化していないときには、前記タッチパネルの輝度を前記第２状態に対応する輝度に変化させるよう制御する輝度制御部とを備えることを特徴とする。
【発明の効果】
【０００８】
上記構成を備える本発明に係る携帯端末によれば、タッチパネルに対するユーザ操作により表示画面の輝度を不適切に制御してしまうことを抑制しつつ、タッチパネルに対するユーザ操作が繰り返し行われている場合において、実際の周囲の明るさが変化したときにおける表示画面の視認性を確保できる。
【図面の簡単な説明】
【０００９】
【図１】実施の形態に係る携帯電話機１００の外観及び画面の輝度制御の方法を説明するための図
【図２】携帯電話機１００の画面の輝度制御の方法を説明するための図
【図３】携帯電話機１００の主要部の機能構成を示すブロック図
【図４】タッチパネル１１０における特定位置２１を説明するための図
【図５】携帯電話機１００の輝度制御処理を示すフローチャート
【図６】接触検出部１５１による検出結果と、状態判定部１５２による判定結果と、タッチパネル１１０の輝度の変化のタイミングとの一例を示す図
【図７】変形例に係る携帯電話機２００の主要部の機能構成を示すブロック図
【図８】携帯電話機２００の輝度制御処理を示すフローチャート
【図９】変形携帯電話機の輝度制御処理を示すフローチャート
【発明を実施するための形態】
【００１０】
以下、本発明に係る携帯端末の実施の形態としての携帯電話機について説明する。
≪実施の形態≫
＜概要＞
図１（ａ）、（ｂ）は、実施の形態に係る携帯電話機１００の外観及び画面の輝度制御の方法を説明するための図である。
【００１１】
図１（ａ）に示すように、携帯電話機１００は、スピーカ１と、マイク２と、タッチパネル１１０と、光センサ１２０とを備える、いわゆるストレートタイプの端末であり、タッチパネル１１０の輝度を、実際の周囲の明るさに応じて制御するものである。
なお、図１及び後述する図２では、タッチパネル１１０に表示されているアイコン等の表示物の図示を省略している。
【００１２】
携帯電話機１００は、特に、光センサ１２０が測定した周囲の明るさが、所定の閾値以上である第１状態とその閾値未満である第２状態との間で変化した場合において、変化後所定時間内に、再度の状態変化がなかったときに限って、タッチパネル１１０の輝度を変更する。
これは、携帯電話機１００を持ったユーザが、明所と暗所との間を移動した場合には、光センサ１２０が測定する周囲の明るさは、変化後の状態で安定すると考えられるためである。
【００１３】
つまり、例えば、図１（ｂ）に示すように、携帯電話機１００が明所に存在する場合において、タッチパネル１１０に対するユーザ操作により、ユーザの手の影に入った光センサ１２０が測定した明るさが、第１状態から第２状態へと変化したとする。
この変化から上記所定時間以内にそのユーザ操作が終了し、ユーザがタッチパネル１１０から指等を離した場合には、ユーザの手の影はなくなり、光センサは、実際の周囲の明るさを測定することになる。
【００１４】
携帯電話機１００が引き続き明所に存在する場合には、光センサ１２０が測定した周囲の明るさは、第１状態へと変化するので、図１（ａ）に示すように、携帯電話機１００は、タッチパネル１１０の輝度の変更は行わない。
一方、携帯電話機１００が暗所に移動している場合には、光センサ１２０が測定した周囲の明るさは、第２状態で維持されることになるので、図２に示すように、携帯電話機１００は、タッチパネル１１０の輝度を低下させる。
【００１５】
このように、携帯電話機１００は、光センサ１２０が測定した明るさの変化から所定時間内の再変化の有無に応じて、タッチパネル１１０の輝度を制御する。従って、この携帯電話機１００は、タッチパネル１１０に対するユーザ操作により、輝度を不適切に制御してしまうことを抑制しつつ、タッチパネル１１０に対するユーザ操作が繰り返し行われている場合において、実際の周囲の明るさが低下したときにおける表示画面の視認性を確保することができる。
【００１６】
なお、以下、上記所定時間のことを、「猶予時間」といい、第１状態に対応する輝度を「第１輝度」、第２状態に対応する輝度を「第２輝度」という。
また、ここでは、タッチパネル１１０に対するユーザ操作により、光センサ１２０が測定した明るさが、実際の周囲の明るさとは異なってしまう場合について説明したが、何らかの光が光センサ１２０に当たり、光センサ１２０が測定した明るさが、実際の周囲の明るさとは異なってしまうことも考えられる。
【００１７】
この場合にも、携帯電話機１００は、上記同様に、光センサ１２０が測定した明るさの状態が猶予時間内に再変化するか否かに応じて、タッチパネル１１０の輝度を制御することにより、同様に表示画面の視認性を確保することができる。
＜構成＞
図３は、携帯電話機１００の主要部の機能構成を示すブロック図である。
【００１８】
携帯電話機１００は、同図に示すように、タッチパネル１１０、光センサ１２０、第１計時部１３０、第２計時部１３１、第３計時部１３２、記憶部１４０、及び制御部１５０を備える。
なお、同図では、通常の携帯電話機が備える通信部や、図１（ａ）で示したスピーカ１、マイク２の図示は省略している。また、携帯電話機１００は、プロセッサ及びメモリを含んで構成されており、制御部１５０の機能は、上述のメモリに記憶されているプログラムを上述のプロセッサが実行することにより実現される。
【００１９】
ここで、タッチパネル１１０は、表示部１１１、入力部１１２及び照明部１１３を備える。
表示部１１１は、ＬＣＤ（Liquid Crystal Display）を含み、制御部１５０からの指示を受けて文字やアイコン等の画像をＬＣＤに表示する回路である。上述のＬＣＤの画素数（横×縦）は４８０×８００画素であるものとする。なお、ＬＣＤの画素数は、４８０×８００画素に限定されるものではなく、適宜、他の画素数とすることもできる。
【００２０】
また、入力部１１２は、ユーザによる接触を検出し、検出している間、単位時間（例えば、２５ｍｓ）毎に、その接触位置の座標値（ｘ，ｙ）を制御部１５０に送出する回路であり、例えば、静電容量方式のタッチセンサにより実現される。
以下では、図１（ａ）のタッチパネル１１０の左上端の座標値は（０，０）であるとし、右下端の座標値は（４７９，７９９）であるものとして説明する。
【００２１】
なお、本実施の形態では、接触とは、ユーザの指等の身体やタッチペン等がタッチパネル１１０に接触した状態をいう他、ユーザの指等の身体やタッチペン等、タッチパネル１１０の静電容量を変化させるものが、タッチパネル１１０の静電容量を所定の閾値以上に変化させる程度にタッチパネル１１０に近接した状態を含む。
また、照明部１１３は、いわゆるバックライトであり、制御部１５０の指示に従って、表示部１１１の輝度が指示された輝度（第１輝度又は第２輝度）になるように点灯する機能を有する。
【００２２】
光センサ１２０は、周囲の明るさを検出し、検出した明るさに対応する電圧レベルの信号を制御部１５０へ出力する回路であり、例えば、フォトダイオードにより実現される。
第１計時部１３０は、制御部１５０の指示を受けて計時を開始する機能を有し、また、第２計時部１３１は、現在時刻（例えば、１ｍｓ単位）を計時する機能を有する。
また、第３計時部１３２は、制御部１５０の指示を受けて計時を開始し、予め設定された時間（以下、「第３時間」といい、本実施の形態では、２秒程度であるものとする）を計時すると、その旨を制御部１５０に通知する機能を有する。
【００２３】
なお、第１計時部１３０、第２計時部１３１、第３計時部１３２は、例えば、タイマやカウンタにより実現される。
記憶部１４０は、接触情報テーブル１０及び位置情報２０を格納するためのメモリ領域である。
接触情報テーブル１０は、タッチパネル１１０において接触が検出された際の時刻及び座標値からなる情報（以下、「接触情報」という）を登録したテーブルであり、位置情報２０は、タッチパネル１１０における特定位置２１を示す情報である。
【００２４】
ここで、特定位置２１は、タッチパネル１１０に対して操作しようとして、ユーザが指等を接触させた際に、光センサ１２０により測定された明るさを低下させ得るタッチパネル１１０上の位置を示すものである。
図４は、タッチパネル１１０における特定位置２１を説明するための図である。
同図では、斜線部で示す特定位置２１の左上端の座標値（ｘａ，ｙａ）の例として（３２０，６１０）を、右下端の座標値（ｘｂ，ｙｂ）の例として（４７９，７９９）を示している。
【００２５】
上記位置情報２０は、この左上端の座標値（ｘａ，ｙａ）及び右下端の座標値（ｘｂ，ｙｂ）からなるものである。
再び、図３を用いて、携帯電話機１００の残りの機能部について説明する。
制御部１５０は、表示制御機能を含む一般的な携帯電話機が有する各種機能の他、特に、光センサ１２０から出力された信号に基づいて、タッチパネル１１０の照明部１１３の輝度を制御する機能を有し、接触検出部１５１、状態判定部１５２、輝度制御部１５３を含んで構成される。
【００２６】
ここで、接触検出部１５１は、タッチパネル１１０の入力部１１２から座標値を受領することで、タッチパネル１１０に対するユーザの指等の接触を検出する機能を有する。
接触検出部１５１は、入力部１１２から座標値を受領すると、受領した際の時刻を第２計時部１３１から取得し、取得した時刻及び受領した座標値、つまり接触情報を記憶部１４０の接触情報テーブル１０に登録する機能を有する。
【００２７】
状態判定部１５２は、光センサ１２０から出力された信号に基づいて、周囲の明るさが、第１状態及び第２状態のいずれであるかを判定する機能を有する。
具体的には、光センサ１２０から出力された信号に対応する明るさが、所定の閾値以上であれば、第１状態であると判定し、この閾値未満であれば、第２状態であると判定する。本実施の形態では、この閾値は、屋外の日向の明るさ（例えば、１０万ルクス程度）と、通常の室内（例えば４０Ｗ程度の白色蛍光灯）の明るさ（例えば、５００ルクス程度）とを区別するための値とし、例えば、「１０００ルクス」に相当する値であるものとする。
【００２８】
輝度制御部１５３は、状態判定部１５２による判定結果が変化した際に、第１計時部１３０及び第３計時部１３２の計時を開始させ、タッチパネル１１０の照明部１１３に対する変化後の状態に対応する輝度への変更指示を、第１計時部１３０が猶予時間を計時するまでに状態判定部１５２による判定結果が再度変化しなかった場合に行うよう制御する機能を有する。
【００２９】
また、輝度制御部１５３は、状態判定部１５２による判定結果が変化した場合において、記憶部１４０の接触情報テーブル１０及び位置情報２０に基づいて、その変化の第２時間前からその変化の第３時間後までの間に、タッチパネル１１０の特定位置２１に対するユーザの指等の接触があったかを判定する機能を有する。
輝度制御部１５３は、上記猶予時間のデフォルト値を第１時間とし、この判定において、該当の接触があった場合に、猶予時間を第１時間よりも長い第４時間に変更して上記制御を行う。
【００３０】
なお、本実施の形態では、第１時間は「３秒程度」であるものとし、第４時間は「５秒程度」であるものとし、第２時間及び第３時間は「２秒程度」であるものとする。
＜動作＞
次に、上記構成を備える携帯電話機１００の動作について、図５を用いて説明する。
図５は、携帯電話機１００の輝度制御処理を示すフローチャートである。
【００３１】
同図に示す輝度制御処理は、携帯電話機１００の電源がＯＮになると開始され、特に図示していないが、電源がＯＦＦになると終了される。
なお、図５及び後述する図６では、第１時間を「ｔ１」、第２時間を「ｔ２」、第３時間を「ｔ３」、第４時間を「ｔ４」と記載している。
携帯電話機１００の電源がＯＮになると、制御部１５０は、接触情報テーブル１０を初期化、つまり、登録されている全ての接触情報を削除する。
【００３２】
なお、以降、同図に示す輝度制御処理とは非同期に、接触検出部１５１は、タッチパネル１１０に対するユーザの指等の接触を検出した際に、接触情報テーブル１０に接触情報を登録していくものとする。
状態判定部１５２は、光センサ１２０が測定した明るさが、第１状態及び第２状態のいずれであるかを判定し、輝度制御部１５３は、この判定結果に対応する輝度（第１輝度又は第２輝度）をタッチパネル１１０の照明部１１３に指定し、照明部１１３は、指定された輝度で照明を開始する（ステップＳ１）。
【００３３】
なお、状態判定部１５２は、光センサ１２０が測定した明るさが、所定の閾値以上である場合には第１状態であると判定し、この閾値未満である場合には第２状態であると判定する。
また、状態判定部１５２は、光センサ１２０が測定した明るさが第１状態及び第２状態のいずれであるかを判定し、輝度制御部１５３は、この判定結果が、前回の判定結果から変化したか否かを判定する（ステップＳ２）。
【００３４】
変化してない場合には（ステップＳ２：ＮＯ）、再びステップＳ２の処理を行い、第１状態から第２状態へ、又は第２状態から第１状態へ変化した場合には（ステップＳ２：ＹＥＳ）、輝度制御部１５３は、猶予時間に第１時間を設定し（ステップＳ３）、第１計時部１３０及び第３計時部１３２による計時を開始させ、第２計時部１３１から現在時刻を取得する（ステップＳ４）。なお、第１計時部１３０、第３計時部１３２が既に計時している場合には、輝度制御部１５３は、リセットした上で計時を開始させる。
【００３５】
また、輝度制御部１５３は、取得した時刻より第２時間前から、取得した時刻までの間に、特定位置２１内での接触（以下、「特定接触」という）があったか否かを、記憶部１４０の接触情報テーブル１０及び位置情報２０に基づいて判定する（ステップＳ５）。
より詳細には、取得した時刻より第２時間前から、取得した時刻までの間の時刻を含む接触情報に含まれている座標値が、位置情報２０の左上端座標値（ｘａ，ｙａ）と右下端座標値（ｘｂ，ｙｂ）で特定される矩形領域（特定位置２１）に含まれる場合に、肯定的な判定（ステップＳ５：ＹＥＳ）を行う。
【００３６】
肯定的な判定がなされた場合に（ステップＳ５：ＹＥＳ）、輝度制御部１５３は、猶予時間に第４時間を設定する（ステップＳ６）。
また、輝度制御部１５３は、第１計時部１３０が計時している時間を取得し、第１計時部１３０が計時を開始したとき、即ち、ステップＳ２で状態判定部１５２の判定結果が変化したときから、猶予時間を経過したか否かを判定する（ステップＳ７）。
【００３７】
猶予時間を経過した場合には（ステップＳ７：ＹＥＳ）、輝度制御部１５３は、状態判定部１５２による直近の判定結果に対応する輝度（第１輝度又は第２輝度）をタッチパネル１１０の照明部１１３に指定し、照明部１１３は、指定された輝度に変更して照明を行い（ステップＳ９）、輝度制御部１５３は、再びステップＳ２から処理を行う。
また、猶予時間を経過していない場合には（ステップＳ７：ＮＯ）、状態判定部１５２は、光センサ１２０が測定した明るさが第１状態及び第２状態のいずれであるかを判定し、輝度制御部１５３は、この判定結果が、前回の判定結果から変化したか否かを判定する（ステップＳ８）。
【００３８】
変化してない場合には（ステップＳ８：ＮＯ）、輝度制御部１５３は、再びステップＳ７から処理を行い、第１状態から第２状態へ、又は第２状態から第１状態へ変化した場合には（ステップＳ８：ＹＥＳ）、輝度制御部１５３は、再びステップＳ２から処理を行う。
一方、ステップＳ５において、否定的な判定がなされた場合に（ステップＳ５：ＮＯ）、輝度制御部１５３は、ステップＳ４で取得した時刻より後に、特定接触があったか否かを、記憶部１４０の接触情報テーブル１０及び位置情報２０に基づいて判定する（ステップＳ１０）。
【００３９】
より詳細には、ステップＳ４で取得した時刻より後の時刻を含む接触情報に含まれている座標値が、位置情報２０の左上端座標値（ｘａ，ｙａ）と右下端座標値（ｘｂ，ｙｂ）で特定される矩形領域（特定位置２１）に含まれる場合に、肯定的な判定（ステップＳ１０：ＹＥＳ）を行う。
肯定的な判定がなされた場合には（ステップＳ１０：ＹＥＳ）、上述したステップＳ６の処理に進み、否定的な判定がなされた場合には（ステップＳ１０：ＮＯ）、輝度制御部１５３は、第３計時部１３２が計時を開始したとき、即ち、ステップＳ２で状態判定部１５２の判定結果が変化したときから、第３時間を経過したか否かを判定する（ステップＳ１１）。
【００４０】
第３計時部１３２から第３時間を計時した旨の通知があった場合に、輝度制御部１５３は、第３時間を経過したと判定し（ステップＳ１１：ＹＥＳ）、ステップＳ７の処理に進む。
また、第３計時部１３２から第３時間を計時した旨の通知がない場合に、輝度制御部１５３は、第３時間を経過していないと判定し（ステップＳ１１：ＮＯ）、状態判定部１５２は、光センサ１２０が測定した明るさが第１状態及び第２状態のいずれであるかを判定し、輝度制御部１５３は、この判定結果が、前回の判定結果から変化したか否かを判定する（ステップＳ１２）。
【００４１】
変化してない場合には（ステップＳ１２：ＮＯ）、輝度制御部１５３は、再びステップＳ１０から処理を行い、第１状態から第２状態へ、又は第２状態から第１状態へ変化した場合には（ステップＳ１２：ＹＥＳ）、輝度制御部１５３は、再びステップＳ２から処理を行う。
＜具体例による動作の説明＞
上述した携帯電話機１００の動作を、図６の例を用いて具体的に説明する。
【００４２】
図６は、接触検出部１５１による検出結果と、状態判定部１５２による判定結果と、タッチパネル１１０の輝度の変化のタイミングとの一例を示す図である。
同図の接触検出欄における斜線部は、特定接触があったことを示している。
また、以下では、時刻Ｔ１７は、携帯電話機１００を所持するユーザが明所（例えば、屋外の日向）から暗所（例えば、通常の室内）へと移動した時刻を示しており、時刻Ｔ２０は、携帯電話機１００を所持するユーザが暗所から明所へと移動した時刻を示しているものとする。
【００４３】
＜明所でのタッチパネル１１０に対するユーザ操作＞
時刻Ｔ１０は、携帯電話機１００の電源がＯＮになったタイミングを示している。
この例では、携帯電話機１００は明所に存在するため、状態判定部１５２は、光センサ１２０が測定した明るさが第１状態であると判定し、輝度制御部１５３は、照明部１１３に第１輝度での照明を開始させる（ステップＳ１）。
【００４４】
この例では、時刻Ｔ１１において、光センサ１２０が測定した明るさが第２状態へと変化するので、輝度制御部１５３は、状態判定部１５２による判定結果が、前回の判定結果（第１状態）から変化したと判定し（ステップＳ２：ＹＥＳ）、猶予時間に第１時間を設定し（ステップＳ３）、第１計時部１３０及び第３計時部１３２による計時を開始させ、第２計時部１３１から現在時刻（時刻Ｔ１１）を取得する（ステップＳ４）。
【００４５】
この例では、輝度制御部１５３は、取得した時刻Ｔ１１の第２時間前から、時刻Ｔ１１までの間に、特定接触がなかったと判定し（ステップＳ５：ＮＯ）、取得した時刻Ｔ１１より後に、特定接触があったか否かを判定する（ステップＳ１０）。
この例では、取得した時刻Ｔ１１から第３時間を経過する前の時刻Ｔ１２において、特定接触があるため（ステップＳ１０：ＹＥＳ）、輝度制御部１５３は、猶予時間に第４時間を設定する（ステップＳ６）。
【００４６】
この例では、第１計時部１３０が計時している時間が時刻Ｔ１１から猶予時間（ｔ４）を経過する前の時刻Ｔ１３において、光センサ１２０が測定した明るさが第１状態へと変化するので、輝度制御部１５３は、状態判定部１５２による判定結果が、前回の判定結果（第２状態）から変化したと判定する（ステップＳ７：ＮＯ、ステップＳ８：ＹＥＳ）。
＜明所でのタッチパネル１１０に対するユーザ操作＞
続いて、この例では、時刻Ｔ１４において、輝度制御部１５３は、状態判定部１５２による判定結果が第１状態から第２状態へと変化したと判定し（ステップＳ２：ＹＥＳ）、猶予時間に第１時間を設定し（ステップＳ３）、第１計時部１３０及び第３計時部１３２による計時をリセットした上で開始させ、第２計時部１３１から現在時刻（時刻Ｔ１４）を取得する（ステップＳ４）。
【００４７】
この例では、輝度制御部１５３は、取得した時刻Ｔ１４の第２時間前から、時刻Ｔ１４までの間に特定接触がなかったと判定し（ステップＳ５：ＮＯ）、取得した時刻Ｔ１４から第３時間を経過する前の時刻Ｔ１５において、状態判定部１５２による判定結果が第２状態から第１状態へと変化したと判定する（ステップＳ１２：ＹＥＳ）。
＜タッチパネル１１０に対するユーザ操作中の明所から暗所への移動＞
続いて、この例では、時刻Ｔ１６において、輝度制御部１５３は、状態判定部１５２による判定結果が第１状態から第２状態へと変化したと判定し（ステップＳ２：ＹＥＳ）、猶予時間に第１時間を設定し（ステップＳ３）、第１計時部１３０及び第３計時部１３２による計時をリセットした上で開始させ、第２計時部１３１から現在時刻（時刻Ｔ１６）を取得する（ステップＳ４）。
【００４８】
この例では、輝度制御部１５３は、取得した時刻Ｔ１６において特定接触があったと判定し（ステップＳ５：ＹＥＳ）、猶予時間に第４時間を設定する（ステップＳ６）。
この例では、第１計時部１３０が計時している時間が時刻Ｔ１６から猶予時間（ｔ４）を経過した時刻Ｔ１８まで、光センサ１２０が測定した明るさが第２状態のままであり（ステップＳ８：ＮＯ）。時刻Ｔ１８で、猶予時間（ｔ４）を経過したと判定する（ステップＳ７：ＹＥＳ）。従って、輝度制御部１５３は、照明部１１３に、状態判定部１５２による直近の判定結果に対応する輝度（第２輝度）に変更して照明を行わせる（ステップＳ９）。
【００４９】
＜受光中に暗所から明所に移動＞
以下では、時刻Ｔ１９〜時刻Ｔ２１において、光センサ１２０に光が当たっていたものとして説明する。
時刻Ｔ１９において、輝度制御部１５３は、状態判定部１５２による判定結果が第２状態から第１状態へと変化したと判定し（ステップＳ２：ＹＥＳ）、猶予時間に第１時間を設定し（ステップＳ３）、第１計時部１３０及び第３計時部１３２による計時をリセットした上で開始させ、第２計時部１３１から現在時刻（時刻Ｔ１９）を取得する（ステップＳ４）。
【００５０】
この例では、輝度制御部１５３は、取得した時刻Ｔ１９の第２時間前から、時刻Ｔ１９までの間及び取得した時刻Ｔ１９から第３時間後までの間において、特定接触がなかったと判定する（ステップＳ５：ＮＯ、Ｓ１０：ＮＯ、Ｓ１１：ＹＥＳ）。
また、この例では、第１計時部１３０が計時している時間が時刻Ｔ１９から猶予時間（ｔ１）を経過した時刻Ｔ２２まで、光センサ１２０が測定した明るさが第１状態のままであり（ステップＳ８：ＮＯ）。時刻Ｔ２２で、猶予時間（ｔ１）を経過したと判定する（ステップＳ７：ＹＥＳ）。
【００５１】
従って、輝度制御部１５３は、照明部１１３に、状態判定部１５２による直近の判定結果に対応する輝度（第１輝度）に変更して照明を行わせる（ステップＳ９）。
以上、説明してきたように、携帯電話機１００は、明所におけるタッチパネル１１０に対するユーザ操作により、光センサ１２０が測定した明るさが第２状態に変化しても（時刻Ｔ１１、時刻Ｔ１４参照）、タッチパネル１１０の輝度を第１輝度のまま維持できており、視認性を確保することができる。
【００５２】
また、携帯電話機１００は、タッチパネル１１０に対するユーザ操作が繰り返し行われている場合において、明所から暗所に移動したときには、タッチパネルの輝度を暗所に対応する輝度（この例では第２輝度）に変更することができる（時刻Ｔ１８参照）。
また、携帯電話機１００は、光センサ１２０に反射光が当たっている場合において、暗所から明所に移動したときにも、タッチパネルの輝度を明所に対応する輝度（この例では第１輝度）に変更することができる（時刻Ｔ２２参照）。
【００５３】
即ち、携帯電話機１００は、タッチパネル１１０の輝度を、実際の周囲の明るさに応じた輝度に変更し、視認性を確保することができる。
≪変形例≫
＜概要＞
上記実施の形態では、光センサ１２０が測定した明るさが、第１状態と第２状態との間で変化した場合において、その変化の第２時間前からその変化の第３時間後までの間にタッチパネル１１０に対する特定接触がないときに、猶予時間の経過を待ってからタッチパネル１１０の輝度を、変化後の状態に対応する輝度に変更するものとして説明した（図５のステップＳ５：ＮＯ、Ｓ１０：ＮＯ、Ｓ１１：ＹＥＳ、Ｓ７：ＹＥＳ、Ｓ９参照）。
【００５４】
また、上記実際の形態では、光センサ１２０が測定した明るさが、第１状態と第２状態との間で変化した場合において、変化の第２時間前から変化の第３時間後までの間にタッチパネル１１０に対する特定接触があったときに、猶予時間を第１時間から第４時間に延長するものとして説明した（図５のステップＳ５：ＹＥＳ、Ｓ１０：ＹＥＳ、Ｓ６参照）。
【００５５】
以下では、猶予時間の延長を行わないようにし、かつ、光センサ１２０が測定した明るさが、第１状態と第２状態との間で変化した場合において、変化の第２時間前から変化の第３時間後までの間に、特定接触に限らず、タッチパネル１１０に対する接触がないときに、猶予時間の経過を待たずに、タッチパネル１１０の輝度を、変化後の状態に対応する輝度に変更するようにした一変形例を、実施の形態に係る携帯電話機１００からの変更部分を中心に説明する。
【００５６】
＜構成＞
図７は、変形例に係る携帯電話機２００の主要部の機能構成を示すブロック図である。
携帯電話機２００は、同図に示すように、タッチパネル１１０、光センサ１２０、第１計時部１３０、第２計時部１３１、第３計時部１３２、記憶部２１０、及び制御部２２０を備え、実施の形態に係る携帯電話機１００の記憶部１４０及び制御部１５０に代えて、記憶部２１０及び制御部２２０を備える点で、携帯電話機１００とは異なる。
【００５７】
ここで、記憶部２１０は、接触情報テーブル１０を格納するためのメモリ領域であり、位置情報２０を格納しない点で、実施の形態に係る記憶部１４０と異なる。
また、制御部２２０は、接触検出部１５１、状態判定部１５２、輝度制御部２２１を含んで構成され、実施の形態に係る制御部１５０に含まれる輝度制御部１５３に代えて、輝度制御部２２１を含む点で、制御部１５０とは異なる。
【００５８】
輝度制御部２２１の内容については、図８を用いて詳細に説明する。
＜動作＞
携帯電話機２００の動作について、図８を用いて説明する。
図８は、携帯電話機２００の輝度制御処理を示すフローチャートである。
同図では、第１時間を「ｔ１」、第２時間を「ｔ２」、第３時間を「ｔ３」と記載している。
【００５９】
携帯電話機２００の電源がＯＮになると、携帯電話機１００と同様に、ステップＳ１、Ｓ２、Ｓ４の処理を行う。即ち、この携帯電話機２００の制御部２２０は、接触情報テーブル１０の初期化処理を行い、輝度制御部２２１は、状態判定部１５２による判定結果に対応する輝度での照明の開始処理と、状態判定部１５２による判定結果が変化したかの判定処理とを行う（ステップＳ１、Ｓ２）。また、特に、状態判定部１５２による判定結果が変化した場合に（ステップＳ２：ＹＥＳ）、輝度制御部２２１は、計時の開始処理と、現在時刻の取得処理を行う（ステップＳ４）。
【００６０】
続いて、輝度制御部２２１は、取得した時刻より第２時間前から、取得した時刻までの間に、タッチパネル１１０に対する接触があったか否かを、記憶部２１０の接触情報テーブル１０に基づいて判定する（ステップＳ１３）。
輝度制御部２２１は、取得した時刻より第２時間前から、取得した時刻までの間の時刻を含む接触情報が存在する場合に、肯定的な判定（ステップＳ１３：ＹＥＳ）を行い、第１計時部１３０が計時している時間を取得し、第１時間を経過したか否かを判定する（ステップＳ１４）。
【００６１】
第１時間を経過した場合には（ステップＳ１４：ＹＥＳ）、輝度制御部２２１は、携帯電話機１００と同様に、状態判定部１５２による直近の判定結果に対応する輝度への照明の変更処理を行い（ステップＳ９）、輝度制御部２２１は、再びステップＳ２から処理を行う。
また、第１時間を経過していない場合には（ステップＳ１４：ＮＯ）、輝度制御部２２１は、携帯電話機１００と同様に、状態判定部１５２による判定結果が変化したかの判定処理を行う（ステップＳ８）。
【００６２】
一方、ステップＳ１３において、取得した時刻より第２時間前から、取得した時刻までの間の時刻を含む接触情報が存在しない場合に、輝度制御部２２１は、否定的な判定を行い（ステップＳ１３：ＮＯ）、ステップＳ４で取得した時刻より後に、タッチパネル１１０に対する接触があったか否かを、記憶部２１０の接触情報テーブル１０に基づいて判定する（ステップＳ１５）。
【００６３】
ステップＳ４で取得した時刻より後の時刻を含む接触情報が存在する場合に、輝度制御部２２１は、肯定的な判定を行い（ステップＳ１５：ＹＥＳ）、上述したステップＳ１４の処理に進む。
また、ステップＳ４で取得した時刻より後の時刻を含む接触情報が存在しない場合に、輝度制御部２２１は、否定的な判定を行い（ステップＳ１５：ＮＯ）、携帯電話機１００と同様、第３時間を経過したか否かを判定する（ステップＳ１６）。
【００６４】
第３計時部１３２から第３時間を計時した旨の通知があった場合に、輝度制御部２２１は、第３時間を経過したと判定し（ステップＳ１６：ＹＥＳ）、上述のステップＳ９の処理に進む。
第３計時部１３２から第３時間を計時した旨の通知がない場合に、輝度制御部２２１は、第３時間を経過していないと判定し（ステップＳ１６：ＮＯ）、携帯電話機１００と同様に、状態判定部１５２による判定結果が変化したかの判定処理とを行う（ステップＳ１２）。
【００６５】
≪補足≫
以上、本発明に係る携帯端末を、実施の形態及び変形例に基づいて説明したが、以下のように変形することも可能であり、本発明は上述した実施の形態及び変形例で示した通りの携帯電話機に限られないことは勿論である。
（１）変形例に係る携帯電話機２００は、（ａ）猶予期間の延長を行わないようにした点、（ｂ）特定接触に限らないようにした点、（ｃ）猶予時間の経過を待たずに、タッチパネル１１０の輝度を、変化後の状態に対応する輝度に変更するようにした点で、実施の形態に係る携帯電話機１００と異なるものとして説明した。
【００６６】
しかしながら、携帯電話機１００に、上記（ａ）〜（ｃ）の一部についてのみ適用するよう変形してもよい。
また、変形例では、光センサ１２０が測定した明るさが、第１状態と第２状態との間で変化した場合において、変化の第２時間前から変化の第３時間後までの間の全期間におけるタッチパネル１１０に対する接触の有無により、タッチパネル１１０の輝度を制御するものとして説明した。しかしながら、変化の第２時間前から変化までの間と、変化から変化の第３時間後までの間とのいずれか一方の期間における接触の有無により、タッチパネル１１０の輝度を制御するようにしてもよい。
【００６７】
また、実際の形態では、光センサ１２０が測定した明るさが、第１状態と第２状態との間で変化した場合において、変化の第２時間前から変化の第３時間後までの間に、タッチパネル１１０に対する特定接触があったときに、猶予時間を延長するものとして説明した。
しかしながら、変化の第２時間前から変化の第３時間後までの全期間に限らず、変化の第２時間前から変化までの間と、変化から変化の第３時間後までの間とのいずれか一方の期間についての特定接触の有無に基づいて猶予時間を延長するようにしてもよい。
【００６８】
（２）実施の形態及び変形例では、光センサ１２０が測定した明るさが、第１状態と第２状態との２つの状態を有するものとして説明したが、３つ以上の状態を有するものとしてもよい。
その場合、状態数をｎ（ｎは３以上の自然数）とした場合に、ｎ−１個の閾値が必要である。例えば、状態数ｎ＝３とした場合には、２つの閾値が必要である。例えば、実施の形態及び変形例で説明した所定の閾値（例えば、「１０００ルクス」に相当する値であり、この項では、「第１の閾値」という）より大きい第２の閾値（例えば、「５０００ルクス」に相当する値）を決定し、光センサ１２０が測定した明るさが、第２閾値以上である状態を第３状態とし、第２閾値未満第１閾値以上である状態を第１状態とし、第１閾値未満である状態を第２状態とすることができる。
【００６９】
以下、第１状態及び第２状態に加え、第３状態が存在する場合における携帯電話機（以下、「変形携帯電話機」という）の動作について説明する。
図９は、変形携帯電話機の輝度制御処理を示すフローチャートである。
同図に示すように、変形携帯電話機の輝度制御処理は、実施の形態に係る携帯電話機１００の輝度制御処理（図５参照）のステップＳ２、Ｓ８、Ｓ１２の処理に代えて、ステップＳ２０、Ｓ２１、Ｓ２３の処理を含み、また、ステップＳ２２、Ｓ２４の処理を追加した点で異なる。
【００７０】
従って、以下では、この相違部分を中心に、変形携帯電話機の輝度制御処理について説明する。
変形携帯電話機の電源がＯＮになると、携帯電話機１００と同様に、この変形携帯電話機の制御部（以下、「変形制御部」という）は、接触情報テーブル１０の初期化処理を行い、この変形制御部の状態判定部（以下、「変形状態判定部」という）は、光センサ１２０が測定した明るさが、第１状態、第２状態及び第３状態のいずれであるかを判定し、この変形制御部の輝度制御部（以下、「変形輝度制御部」という）は、この判定結果に対応する輝度（第１輝度、第２輝度又は第３輝度）をタッチパネル１１０の照明部１１３に指定し、照明部１１３は、指定された輝度で照明を開始する（ステップＳ１）。
【００７１】
続いて、変形輝度制御部は、変形状態判定部による判定結果が変化したかの判定処理を行う（ステップＳ２０）。
第１状態から第２状態若しくは第３状態へ、第２状態から第１状態若しくは第３状態へ、又は第３状態から第１状態若しくは第２状態へ変化した場合には（ステップＳ２０：ＹＥＳ）、変形輝度制御部は、輝度制御部１５３と同様に、猶予時間の設定処理と、計時の開始処理と、現在時刻の取得処理を行う（ステップＳ３、Ｓ４）。
【００７２】
続いて、変形輝度制御部は、輝度制御部１５３と同様に、取得した時刻より第２時間前から、取得した時刻までの間に、タッチパネル１１０に対する接触があったか否かの判定処理を行い（ステップＳ５）、接触があった場合には（ステップＳ５：ＹＥＳ）、猶予時間の再設定処理と、猶予時間を経過したか否かの判定処理を行う（ステップＳ６、Ｓ７）。
【００７３】
猶予時間を経過した場合に（ステップＳ７：ＹＥＳ）、変形輝度制御部は、輝度制御部１５３と同様に、変形状態判定部による直近の判定結果に対応する輝度（第１輝度、第２輝度又は第３輝度）をタッチパネル１１０の照明部１１３に指定し、照明部１１３は、指定された輝度に変更して照明を行い（ステップＳ９）、再びステップＳ２０から処理を行う。
【００７４】
猶予時間を経過していない場合に（ステップＳ７：ＮＯ）、変形輝度制御部は、輝度制御部１５３と同様に、変形状態判定部による判定結果が変化したかの判定処理を行い（ステップＳ２１）、判定結果が変化した場合に（ステップＳ２１：ＹＥＳ）、変化後の状態が、現在の輝度に対応する状態か否かを判定する（ステップＳ２２）。
具体的には、変形輝度制御部は、現在の輝度が第１輝度である場合には、変化後の状態が第１状態であるときに、現在の輝度が第２輝度である場合には、変化後の状態が第２状態であるときに、現在の輝度が第３輝度である場合には、変化後の状態が第３状態であるときに、肯定的な判定（ステップＳ２２：ＹＥＳ）を行う。
【００７５】
肯定的な判定を行った場合には（ステップＳ２２：ＹＥＳ）、ステップＳ２０から処理を行い、否定的な判定を行った場合には（ステップＳ２２：ＮＯ）、ステップＳ３から処理を行う。
一方、ステップＳ５において、取得した時刻より第２時間前から、取得した時刻までの間に、タッチパネル１１０に対する接触がなかった場合に（ステップＳ５：ＮＯ）、変形輝度制御部は、輝度制御部１５３と同様に、ステップＳ４で取得した時刻より後に、タッチパネル１１０に対する接触があったか否かの判定処理を行う（ステップＳ１０）。
【００７６】
接触があった場合には（ステップＳ１０：ＹＥＳ）、ステップＳ６の処理に進み、接触がなかった場合には（ステップＳ１０：ＮＯ）、変形輝度制御部は、輝度制御部１５３と同様に、第３時間を経過したか否かの判定処理を行う（ステップＳ１１）。
変形輝度制御部は、輝度制御部１５３と同様に、第３時間を経過した場合に（ステップＳ１１：ＹＥＳ）、ステップＳ７の処理に進み、第３時間を経過していない場合には（ステップＳ１１：ＮＯ）、変形状態判定部による判定結果が変化したかの判定処理を行う（ステップＳ２３）。
【００７７】
判定結果が変化した場合に（ステップＳ２３：ＹＥＳ）、上記ステップＳ２２の処理と同様に、変化後の状態が、現在の輝度に対応する状態か否かを判定する（ステップＳ２４）。
肯定的な判定を行った場合には（ステップＳ２４：ＹＥＳ）、ステップＳ２０から処理を行い、否定的な判定を行った場合には（ステップＳ２４：ＮＯ）、ステップＳ３から処理を行う。
【００７８】
なお、図５及び図８では、ステップＳ８で状態が変化した場合（ステップＳ８：ＹＥＳ）及びステップＳ１２で状態が変化した場合（ステップＳ１２：ＹＥＳ）には、再びステップＳ２から処理を行うものとして説明したが、ステップＳ３から処理を行うようにしてもよい。
但し、この場合、ステップＳ９の処理において、変更後の輝度が現在の輝度と一致する場合には、現在の輝度を維持し、変更を行わないようにする必要がある。
【００７９】
また、図９では、ステップＳ２１で状態が変化した場合（ステップＳ２１：ＹＥＳ）にはステップＳ２２の処理を行い、ステップＳ２３で状態が変化した場合に（ステップＳ２３：ＹＥＳ）には、ステップＳ２４の処理を行うものとして説明したが、ステップＳ２１で状態が変化した場合に（ステップＳ２１：ＹＥＳ）、ステップＳ２２の処理を行うことなく、また、ステップＳ２３で状態が変化した場合に（ステップＳ２３：ＹＥＳ）、ステップＳ２４の処理を行うことなく、ステップＳ３から処理を行うようにしてもよい。
【００８０】
この場合、上記同様、ステップＳ９の処理において、変更後の輝度が現在の輝度と一致する場合には、現在の輝度を維持し、変更を行わないようにする必要がある。
（３）実施の形態及び変形例では、光センサ１２０が測定した明るさが、所定の閾値（例えば「１０００ルクス」に相当する値）以上からその閾値未満に変化した場合に、第１状態から第２状態へと変化したと判定し、光センサ１２０が測定した明るさが、その閾値未満からその閾値以上に変化した場合に、第２状態から第１状態へと変化したと判定するものとして説明した。
【００８１】
しかしながら、光センサ１２０が測定した明るさの単位時間内の減少量が所定の閾値（例えば、「１０００ルクス」に相当する値）未満からその閾値以上に変化した場合に、第１状態から第２状態へと変化したと判定し、光センサ１２０が測定した明るさの単位時間内の増加量がその閾値未満からその閾値以上に変化した場合に、第２状態から第１状態へと変化したと判定してもよい。
【００８２】
また、実施の形態及び変形例で示した所定の閾値（例えば「１０００ルクス」に相当する値）は、一例であり、それ以外の値であってもよく、例えば、ユーザが、任意の値を設定できるようにしてもよい。
（４）実施の形態及び変形例では、第１時間を「３秒程度」、第２時間及び第３時間を「２秒程度」、第４時間を「５秒程度」として説明したが、これらは一例であり、第４時間＞第１時間＞第２時間かつ第１時間＞第３時間との条件を満たすように、各時間を決定すればよく、ユーザが設定できるようにしてもよい。
【００８３】
また、第２時間と第３時間とは、同じ時間でも異なる時間でもよい。
（５）実施の形態及び変形例では、光センサ１２０は、タッチパネル１１０の下方（マイク２側）に配置されているものとして説明したが、光センサ１２０の配置は、適宜変更することができる。但し、光センサ１２０は、タッチパネル１１０の輝度を実際の周囲の明るさに応じて変更するために用いられるため、タッチパネル１１０の近傍に配置されるほうが好ましい。
【００８４】
なお、光センサ１２０の配置を変更した場合には、その配置に合わせて、位置情報２０が示す特定位置２１を変更する必要がある。
また、実施の形態及び変形例では、位置情報２０が示す特定位置２１は、矩形領域であり、位置情報２０は予め設定されているものとして説明した。しかしながら、例えば、実施の形態及び変形例に係る携帯電話機の運用開始時において、ユーザにタッチパネル１１０に対する操作を複数回行わせ、光センサ１２０が測定した明るさが所定値以上低下するタッチパネル１１０上の位置を特定し、特定した位置を示す位置情報２０として記憶部１４０に記憶するようにしてもよい。
【００８５】
この位置情報２０は、この特定した位置を含むように決定した矩形領域であってもよいし、特定した位置を示す１以上の座標値群であってもよい。
（６）実施の形態及び変形例に係る携帯電話機は、ストレートタイプの携帯電話機であるものとして説明したが、折りたたみ式やスライド式等、他の外観を有する携帯電話機であってもよい。
【００８６】
また、折りたたみ式やスライド式の携帯電話機においては、タッチパネル１１０が配置される筐体と、光センサ１２０が配置される筐体とは同一の筐体でも異なる筐体でもよい。
また、実施の形態及び変形例に係る携帯電話機は、１組の表示部１１１及び照明部１１３を備えるものとして説明したが、更に１組以上の表示部及び照明部を備えるようにしてもよく、各照明部による照明は、実施の形態及び変形例で説明したのと同様に制御されるようにしてもよい。
【００８７】
また、この変形で追加される１組以上の表示部及び照明部は、タッチパネルを構成するものであってもよい。
（７）実施の形態及び変形例に係るタッチパネル１１０の入力部は、静電容量方式のタッチセンサにより実現するものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００８８】
また、タッチパネル１１０の入力部は、静電容量方式のタッチセンサにより実現される場合に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等により実現されてもよい。
【００８９】
また、実施の形態では、タッチパネル１１０の表示部のＬＣＤの形状は、略矩形状であるとして説明したが、例えば、円形状、その他多角形状であってもよい。
（８）実施の形態及び変形例において説明した各構成要素のうち、全部又は一部を１チップ又は複数チップの集積回路で実現してもよいし、コンピュータのプログラムで実現してもよいし、その他どのような形態で実現してもよい。
【００９０】
また、実施の形態及び変形例において説明した各構成要素は、携帯電話機が有するプロセッサと協働することにより、その機能を実現する。
（９）実施の形態及び変形例において説明した携帯電話機の輝度制御処理（図５、図８参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態及び変形例で示した携帯電話機の各機能が実現される。
【００９１】
（１０）実施の形態及び変形例に係る携帯電話機に、上記（１）〜（９）の一部又は全部の変形を組み合わせて適用してもよい。
（１１）以下、更に本発明の一実施形態に係る携帯端末の構成及びその変形例と各効果について説明する。
（ａ）本発明の一実施形態に係る携帯端末は、周囲の明るさに応じてタッチパネルの輝度を調整する機能を有する携帯端末であって、前記タッチパネルの近傍に配置され、周囲の明るさを測定する光センサと、前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、前記第２状態から前記第１状態に変化したときには、前記タッチパネルの輝度を前記第１状態に対応する輝度のまま維持し、前記第２状態から前記第１状態に変化していないときには、前記タッチパネルの輝度を前記第２状態に対応する輝度に変化させるよう制御する輝度制御部とを備える。
【００９２】
一般的に、タッチパネルに対する１回のユーザ操作（例えば、いわゆるクリック、ダブルクリック、ドラッグといった操作）は、比較的短い時間内に終了するケースが多いと考えられる。
従って、タッチパネルに対するユーザ操作により、光センサがユーザの手の影になり、光センサにより測定された明るさが第１状態から第２状態へと変化した場合には、変化後比較的短い時間内に、光センサは、再び実際の周囲の明るさを計測することになると考えられる。
【００９３】
つまり、タッチパネルに対するユーザ操作によって、光センサにより測定された明るさが第１状態から第２状態へと変化した場合において、実際の周囲の明るさに変化がないときには、光センサにより測定された明るさが再び第１状態へと戻り、実際の周囲の明るさが低下した場合には、光センサにより測定された明るさが第２状態で維持されることになる。
【００９４】
この携帯端末は、光センサにより測定された明るさが第１状態から第２状態へと変化した場合において、変化から第１時間内に光センサにより測定された明るさが再び第１状態へと戻ったときには、第１状態に対応する輝度にタッチパネルの輝度を維持し、変化から第１時間内に光センサにより測定された明るさが第２状態で維持されたときには、第２状態に対応する輝度にタッチパネルの輝度を変化させる。
【００９５】
従って、適切な第１時間を用いることにより、この携帯端末によれば、タッチパネルに対するユーザ操作により表示画面の輝度を不適切に制御してしまうことを抑制しつつ、タッチパネルに対するユーザ操作中に実際の周囲の明るさが変化した場合における表示画面の視認性を確保できる。
（ｂ）また、前記輝度制御部は、前記光センサにより測定された明るさが、前記第１状態から前記第２状態に変化した場合において、当該変化の第２時間前から当該変化までに、前記タッチパネルへの接触が行われていないときには、前記制御を行うことなく、前記タッチパネルの輝度を前記第２状態に対応する輝度に変化させることとしてもよい。
【００９６】
光センサにより測定された明るさが第２状態へと変化する第２時間前からその変化までの期間に、タッチパネルへの接触がなされていない場合、その変化の原因は、実際の周囲の明るさの低下である可能性が高いと考えられる。
この携帯端末によれば、上記（ａ）の効果を奏すると共に、実際の周囲の明るさが低下した可能性が高い場合に、第２状態への変化から第１時間の経過を待つことなく、すぐにタッチパネルの輝度を第２状態に対応する輝度に変更し、視認性を確保できる。
【００９７】
（ｃ）また、前記輝度制御部は、前記光センサにより測定された明るさが、前記第１状態から前記第２状態に変化し、かつ当該変化の第２時間前から当該変化までに、前記タッチパネルへの接触が行われていない場合において、当該変化から前記第１時間以下の第３時間経過後までに、前記タッチパネルへの接触が行われていないときに限って、前記タッチパネルの輝度を前記第２状態に対応する輝度に変化させることとしてもよい。
【００９８】
光センサにより測定された明るさが第２状態へと変化する前後の期間に、タッチパネルへの接触がなされていない場合、その変化の原因は、実際の周囲の明るさの低下である可能性が極めて高いと考えられる。
この携帯端末によれば、上記（ａ）の効果を奏すると共に、実際の周囲の明るさが低下した可能性が極めて高い場合に、第２状態への変化から第１時間の経過を待つことなく、第１時間よりも短い第３時間を経過した時点で、タッチパネルの輝度を第２状態に対応する輝度に変更し、視認性を確保できる。
【００９９】
（ｄ）また、前記光センサは、前記タッチパネルの表示面と略同一平面上に配置されており、前記携帯端末は、更に接触により、前記光センサにより測定された明るさを低下させ得る前記タッチパネル上の位置を示す位置情報を記憶する記憶部を備え、前記輝度制御部は、前記光センサにより測定された明るさが、前記第１状態から前記第２状態に変化した場合において、当該変化の第２時間前から当該変化までに、前記位置情報が示す前記タッチパネル上の位置への接触が行われているときには、前記第１時間を、当該第１時間より長い時間に変更して、前記制御を行い、前記位置情報が示す前記タッチパネル上の位置への接触が行われていないときには、前記制御を行うことなく、前記タッチパネルの輝度を前記第２状態に対応する輝度に変化させることとしてもよい。
【０１００】
光センサにより測定された明るさが第２状態へと変化する第２時間前からその変化までの期間に、光センサにより測定された明るさを低下させ得るタッチパネル上の位置への接触がなされていない場合には、その変化の原因が、実際の周囲の明るさの低下である可能性が高いと考えられる。
この携帯端末によれば、上記（ａ）の効果を奏すると共に、実際の周囲の明るさが低下した可能性が高い場合に、第２状態への変化から第１時間の経過を待つことなく、すぐにタッチパネルの輝度を第２状態に対応する輝度に変更し、視認性を確保できる。
【０１０１】
（ｅ）また、前記携帯端末は、更に前記光センサにより測定された明るさが、前記閾値以上から当該閾値未満に変化した場合に、前記第１状態から前記第２状態に変化したと判定し、前記光センサにより測定された明るさが、前記閾値未満から当該閾値以上に変化した場合に、前記第２状態から前記第１状態に変化したと判定する状態判定部を備えることとしてもよい。
【０１０２】
この携帯端末によれば、閾値を設定しておくだけで、光センサにより測定された明るさが、第１状態と第２状態との間で変化したか否かを簡単に判定できるので、実装が容易である。
（ｆ）また、前記携帯端末は、更に前記光センサにより測定された明るさの単位時間内の減少量が、前記閾値未満から当該閾値以上に変化した場合に、前記第１状態から前記第２状態に変化したと判定し、前記光センサにより測定された明るさの単位時間内の増加量が、前記閾値未満から当該閾値以上に変化した場合に、前記第２状態から前記第１状態に変化したと判定する状態判定部を備えることとしてもよい。
【０１０３】
この携帯端末によれば、光センサにより測定された明るさの単位時間内の変化量（減少量、増加量）が閾値以上に大きく変化した場合に、光センサにより測定された明るさが、第１状態と第２状態との間で変化したと判定する。
従って、この携帯端末によれば、閾値として、光センサにより測定された明るさの絶対値を設定することなく、タッチパネルの輝度を実際の明るさに応じて変化させることができる。
【０１０４】
（ｇ）また、前記輝度制御部は、更に前記光センサにより測定された明るさが、前記第２状態から前記第１状態に変化した場合において、当該変化から前記第１時間経過後までに前記光センサにより測定された明るさが、前記第１状態から前記第２状態に変化したときには、前記タッチパネルの輝度を前記第２状態に対応する輝度のまま維持し、前記第１状態から前記第２状態に変化していないときには、前記タッチパネルの輝度を当該第１状態に対応する輝度に変化させるよう制御することとしてもよい。
【０１０５】
この携帯端末は、光センサにより測定された明るさが第２状態から第１状態へと変化した場合において、変化から第１時間内に光センサにより測定された明るさが再び第２状態へと戻ったときには、第２状態に対応する輝度にタッチパネルの輝度を維持し、変化から第１時間内に光センサにより測定された明るさが第１状態で維持されたときには、第１状態に対応する輝度にタッチパネルの輝度を変化させる。
【０１０６】
従って、適切な第１時間を用いることにより、この携帯端末によれば、反射光等が、光センサに当たってしまったことにより表示画面の輝度を不適切に制御してしまうことを抑制しつつ、反射光等が、光センサに当たっている最中に、実際の周囲の明るさが高くなった場合における表示画面の視認性を確保できる。
（１２）本発明に係る輝度制御方法は、例えば実施の形態及び変形例に示した携帯電話機により実現される（特に、図５、図８を用いて示した輝度制御処理の手順等参照）。
【産業上の利用可能性】
【０１０７】
本発明に係る携帯端末は、タッチパネルに画像を表示させる場合に利用される。
【符号の説明】
【０１０８】
１    スピーカ
２    マイク
１００    携帯電話機
１１０    タッチパネル
１１１    表示部
１１２    入力部
１１３    照明部
１２０    光センサ
１３０    第１計時部
１３１    第２計時部
１３２    第３計時部
１４０    記憶部
１５０    制御部
１５１    接触検出部
１５２    状態判定部
１５３    輝度制御部
【図１】
0005722024.tif 000002
【図２】
0005722024.tif 000003
【図３】
0005722024.tif 000004
【図４】
0005722024.tif 000005
【図５】
0005722024.tif 000006
【図６】
0005722024.tif 000007
【図７】
0005722024.tif 000008
【図８】
0005722024.tif 000009
【図９】
0005722024.tif 000010